(57)【要約】      （修正有）【課題】  付加的構造の増加を必要とせず、覆板の任意な手掛り位置からの開封操作で切断予定線繋ぎ部の切り離しによる正面板の開口部形成が可能な正面開封紙函を提供する。【解決手段】  矩形の底面板からそれぞれ立設される正面板、両側面板、及び背面板が周壁を構成し、前記背面板の上部延長上に折線を介して天面板、覆板をそれぞれ順設し、前記正面板の上端部近傍に、下部が閉じ上部が開放する略Ｕ字状或いは横向き略コ字状の切断予定線で区画される開口片を配設し且つ少なくとも前記略Ｕ字状或いは横向き略コ字状の切断予定線の下辺両端に繋ぎ目を有し、前記開口片に前記覆板を接着してなり、前記覆板の引き上げ操作により前記開口片が前記正面板から切り離され、前記正面板の上端部に開口を形成する紙函において、前記開口片内の接着予定箇所下端両側にそれぞれ屈曲部を下方外向きとした略Ｌ字状切目線を穿設したことを特徴とする正面開封紙函。【選択図】        図２
2006206059.tif 000002
【特許請求の範囲】
【請求項１】
矩形の底面板からそれぞれ立設される正面板、両側面板、及び背面板が周壁を構成し、前記背面板の上部延長上に折線を介して天面板、覆板をそれぞれ順設し、前記正面板の上端部近傍に、下部が閉じ上部が開放する略Ｕ字状或いは横向き略コ字状の切断予定線で区画される開口片を配設し且つ少なくとも前記略Ｕ字状或いは横向き略コ字状の切断予定線の下辺両端に繋ぎ目を有し、前記開口片に前記覆板を接着してなり、前記覆板の引き上げ操作により前記開口片が前記正面板から切り離され、前記正面板の上端部に開口を形成する紙函において、前記開口片内の接着予定箇所下端両側にそれぞれ屈曲部を下方外向きとした略Ｌ字状切目線を穿設したことを特徴とする正面開封紙函。
【発明の詳細な説明】
【技術分野】
【０００１】
本発明は、紙函の正面板の切断予定線で区画された開口片に接着された覆板を引き上げる操作により、紙函の天板のみならず正面板にも開口部を形成する開封を行い、収納された菓子、食品等を取り出し易くした正面開封紙函に関する。
【背景技術】
【０００２】
従来、矩形の底板から立設される周壁のうち背面板から天面板、覆板を延設し、該覆板が正面板上端部分に切目線を穿設し区画形成される開口片部分に貼着して形成される紙函が、菓子、食品用特にチョコレート菓子用カートンとして広く用いられており、前記覆板の引き上げによる開封操作で正面板上端部分の開口片が同時に切り離され、正面板上端部に開口部分が形成されることで、収納されている内容物の取り出しが容易に行えるものである。前記開口片は切断予定線すなわち繋ぎ部を部分的に設けた切目線によって穿設されるが、前記繋ぎ部の強度が強い場合若しくは覆板の接着部の貼着が弱い場合には、開口片が切り離されない状態すなわち覆板或いは開口片の紙部分が層間剥離したり、覆板の接着部がはがれたりして正面板に開口部が形成されないで開封されてしまう欠点があり、この欠点を解消する為、覆板（前面カバー）に摘み片を延設するとともに、該摘み片の根元の折線を接着部の最下端と切目線の下部の繋ぎ目の間に位置するものとし、接着部に対して垂直方向の引っ張り力が多く働き、切目線が確実に切り離しできて開口部を形成する構造の提案がなされている（例えば、特許文献１参照）。
【特許文献１】特開平９−４８４２７号公報
【０００３】
しかしながら、前述の構造は、覆板の延長上に摘み片を要するもので、部分的とはいえ使用する材料の増加が必要となってコスト高にならざるを得ないし、また摘み片部分を使用しないで開封すなわち覆板のどちらかの側端下部を用いて開封操作を行うような場合、開封操作の起点部分から接着部分までの距離が遠い為、開口片を区画形成している切目線の繋ぎ部を切り離す作用よりも、覆板と開封片との接着部分を引き剥がすような作用が発生したり、さらには接着部分での紙の層間剥離作用が起きてしまい、有効な開封及び開口部形成ができないという欠点があった。
【発明の開示】
【発明が解決しようとする課題】
【０００４】
そこで、本発明の目的は、上記問題を解決するためになしたものであって、付加的構造の増加を必要とせず、覆板の任意な手掛り位置からの開封操作でも切断予定線繋ぎ部の切り離しによる正面板の開口部形成が可能な正面開封紙函を提供することにある。
【課題を解決するための手段】
【０００５】
上記課題を解決するため、請求項１の発明は、矩形の底面板からそれぞれ立設される正面板、両側面板、及び背面板が周壁を構成し、前記背面板の上部延長上に折線を介して天面板、覆板をそれぞれ順設し、前記正面板の上端部近傍に、下部が閉じ上部が開放する略Ｕ字状或いは横向き略コ字状の切断予定線で区画される開口片を配設し且つ少なくとも前記略Ｕ字状或いは横向き略コ字状の切断予定線の下辺両端に繋ぎ目を有し、前記開口片に前記覆板を接着してなり、前記覆板の引き上げ操作により前記開口片が前記正面板から切り離され、前記正面板の上端部に開口を形成する紙函において、前記開口片内の接着予定箇所下端両側にそれぞれ屈曲部を下方外向きとした略Ｌ字状切目線を穿設したことを特徴とする正面開封紙函である。
【発明の効果】
【０００６】
本発明の正面開封紙函は、開口片内の接着予定箇所下端両側にそれぞれ屈曲部を下方外向きとした略Ｌ字状切目線を穿設したことにより、覆板のどちらか一方の側端下部を用いた開封操作によっても、前記略Ｌ字状切目線部分が同時に引き上げられ、これに連れて開封片のどちらか一方の側端部分が引き上げられ、切断予定線の繋ぎ目の切断による開口部形成が可能となって、従来技術に見られた、覆板と開封片との接着部分を引き剥がすような状態が発生したり、さらには接着部分での紙の層間剥離が起きてしまい、有効な開封及び開口部形成ができないという現象を生じることが無いという効果があり、覆板の任意な手掛かり位置からの開封操作が可能となる。また、覆板には開封の手掛かり位置となる摘み片等の付加的構造の増加を必要としないので使用する用紙の面積増加によるコスト高とならず、経済性にも優れた紙函を供給することが出来るという効果がある。
【発明を実施するための最良の形態】
【０００７】
上記本発明について、図面等を用いて以下に詳述する。図１は本発明に係る正面開封紙函の実施例のブランク状態を示す展開平面図。図２（ａ）は同じく実施例の組立完了状態を示す説明用斜視図。図２（ｂ）は同じく実施例の開封完了状態を示す説明用斜視図。図３（ａ）は開封前の紙函上半部を示す説明用部分模式図。図３（ｂ）は開封時の状態を示す説明用Ｘ−Ｘ線断面模式図。図４は本発明に係る他の実施例のブランク状態を示す展開平面図である。
【０００８】
図１は本発明に係る本発明に係る正面開封紙函の実施例のブランク状態を示す展開平面図であって、板紙等シート材を打抜き加工して形成されるブランク２０は、折線を介して貼合板１１、背面板５、側面板４、正面板３、側面板２を順に連設し、側面板２、４の上下両端には折線を介してそれぞれ耳片１３、１３´、９、９´を連設し、正面板３の上下両端には折線を介してそれぞれ重合天面板１２、底面板１を連設し、背面板５の下端には折線を介して重合底面板１０を連設し、同じく背面板５の上端には折線を介して天面板６、覆板７が連設している。正面板３の中央部上方に穿設される幅広の略Ｕ字状の切断予定線１４で区画される開口片８が配設され、前記切断予定線１４の左右両側辺には側辺繋ぎ目１６、１６´、同じく下辺には下辺繋ぎ目１５、１５´がそれぞれ設けられている。前記開口片８の略中央部には横長帯状の接着予定箇所１７が示されると共に、該接着予定箇所１７の下端両側にはそれぞれ屈曲部を下方外向きとした略Ｌ字状切目線Ａ、Ａ´が穿設されている。
【０００９】
図２（ａ）は同じく実施例の組立完了状態を示す説明用斜視図で、前述のブランク２０を組み立て成形すると、一部が図には表出しないが、矩形の底面板１の各辺からそれぞれ正面板３、側面板２、４、背面板５が立設されて周壁を構成し、前記背面板５から延設される天面板６が前記正面板３から延設される重合天面板１２に重合接着して頂部を閉鎖形成すると共に、前記天面板６からさらに延設された覆板７が、前記正面板３の上部に配設された開口片８に重合接着されて組立完了状態を現すものである。
図２（ｂ）は同じく実施例の開封完了状態を示す説明用斜視図で、前記組立完了状態から覆板６の任意な手掛かり位置からの引き上げ操作で、切断予定線１４の切り離しによって開口片８及び重合天面板１２はそれぞれ覆板７及び天面板６の裏面に接着状態となって切り離され、紙函の天面及び正面上部の開口部が形成される。紙函の天面及び正面上部が開口することにより、一般に使用されている天面のみが開口する紙函に比べて、収納された内容物の取り出しが容易に行える。
【００１０】
図３（ａ）は開封前の紙函上半部を示す説明用部分模式図で、正面板３の上半部に覆板７が接着された状態を透視して表したものである。透視される切断予定線１４、切目線Ａ、Ａ´及び接着予定箇所１７はそれぞれ点線で表している。またＸ−Ｘ線は紙函の左端から覆板７の左側下端角部を経て、切断予定線１４の左側下端角部との交点Ｔ、左側切目線Ａ´の屈曲部との交点Ｓ、さらに接着予定箇所１７の左端を経て、紙函上端略中央部に到る線であって、覆板７の左側下端角部を手掛かり位置とする開封のための引き上げ操作方向を示すものである。尚、点Ｕは切目線Ａ´の右端点、点Ｖは同じく上端点である。
すなわち図３（ｂ）は開封時の状態を示す説明用Ｘ−Ｘ線断面模式図で、前述のように覆板７の左側下端角部を矢印方向に引き上げ操作を行うと、接着予定箇所１７で接着された切目線Ａ´屈曲部も引き上げられ交点Ｓ部分が上昇し、これに伴って切目線Ａ´の右端点Ｕも引き上げられ、開口片８が移動することにより力が伝わり、繋ぎ目１５及び１６が切り離されて、切断予定線１４の交点Ｔが切り離し状態となるものであり、従来技術のように切目線Ａ´を設けないものの場合、交点Ｔの位置から接着予定箇所１７の位置までに距離が有った為、引き上げる力が接着部分を剥離させる方向に働いていたが、本発明では、引き上げる力が切目線Ａ´の右端点Ｕ及び断面図には現れない上端点Ｖの上方向への移動に作用することにより、繋ぎ目１５及び１６の切り離しができるものである。
尚、覆板７の左側下端部分からの開封操作について説明したが、右側下端部分からも同様であるので省略する。また、下端中央部分からの開封については、従来技術と同様に切断予定線１４中央部から直に両側の繋ぎ部１５、１５´に作用して切り離すので、開口片の切り離しによる開口部形成に支障が無い。
【００１１】
図４は本発明に係る他の実施例のブランク状態を示す展開平面図で、前述した実施例から正面板３の上端に延設される重合天面板１２を除いた構成としたものであり、天面部分の構成は天面板６のみとなり強度面は比較的低下するが、紙函の組立工程において、天面部分の接着が省略でき、工程の省力化並びに使用用紙の削減によるコストダウンが図れるという、経済的効果を有している。
【図面の簡単な説明】
【００１２】
【図１】本発明に係る正面開封紙函の実施例のブランク状態を示す展開平面図。
【図２】（ａ）同じく実施例の組立完了状態を示す説明用斜視図。              （ｂ）同じく実施例の開封完了状態を示す説明用斜視図。
【図３】（ａ）開封前の紙函上半部を示す説明用部分模式図              （ｂ）開封時の状態を示す説明用Ｘ−Ｘ線断面模式図。
【図４】本発明に係る他の実施例のブランク状態を示す展開平面図。
【符号の説明】
【００１３】
１            底面板
２、４        側面板
３            正面板
５            背面板
６            天面板
７            覆板
８            開口片
９、９´      耳片
１０            重合底面板
１１            貼合板
１２            重合天面板
１３、１３´    耳片
１４            切断予定線
１５、１５´    下辺繋ぎ目
１６、１６´    側辺繋ぎ目
１７            接着部
２０            ブランク
Ａ、Ａ´      切目線
【図１】
2006206059.tif 000003
【図２】
2006206059.tif 000004
【図３】
2006206059.tif 000005
【図４】
2006206059.tif 000006